(57)【要約】  【課題】侵入者が車両に不正侵入したとき、侵入者の写真撮影を行い、車両の正当な利用者に携帯電話等の携帯端末に知らせる。  【解決手段】本発明の車両状態監視システムは、車両２に不正侵入者が侵入したとき、赤外線センサー等の人感センサ１０１で検知し、カメラ２５で車両内の様子、不正侵入者等を撮影し、車両２の正当な利用者の携帯端末に送信する。また、スピーカー１０３から警報サイレン、威嚇音、警告等を発生し、不正侵入者を威嚇する。【選択図】      図１２
2004331051.tif 000002
【特許請求の範囲】
【請求項１】
情報を伝達する通信網に接続するための通信端末機、前記通信端末機の通信を制御するための通信手段、車両の現在位置を検知できる現在位置検知手段、及び、メモリに格納されているプログラムを実行し制御するための中央処理装置
を備え前記車両に搭載された車載ユニットと、
前記通信網に接続され、登録された会員情報、前記車両を識別するための車両情報、及び地図情報が記憶されたサーバーと、
前記車載ユニットを無線通信によって遠隔操作するための遠隔制御手段と
からなる遠隔車両管理システムであって、
前記車載ユニットは、
前記車両の室内の状況を撮影するための画像撮影装置と、
前記車両内の移動物体を検知するための移動物体検知手段と、
前記画像撮影装置で撮影された画像を前記通信端末機を介して前記サーバに送信するための画像送信手段とを備え、
前記プログラムは、
前記車両のエンジンスターター・キーがエンジンスターターの差込口に挿入されているときの通常モードのための通常モードプログラムと、
前記エンジンスターター・キーが前記差込口に挿入されていないとき、前記移動物体検知手段を制御して、前記車両内の状態を常時監視して前記移動物体があるか否かを監視するセキュリティモードのためのセキュリティモードプログラムとを含む
ことを特徴とする車両状態監視システム。
【請求項２】
請求項１に記載の車両状態監視システムにおいて、
前記通常モードプログラムは、
前記移動物体検知手段が前記車両内の様子を常時監視していて、設定された第１所定時間の間に、前記移動物体を検知できないときは前記セキュリティモードに遷移するように動作させる
ことを特徴とする車両状態監視システム。
【請求項３】
請求項１又は２に記載の車両状態監視システムにおいて、
前記セキュリティモードプログラムは、
前記移動物体検知手段が前記移動物体を検知したとき、前記画像撮影装置で前記車両内の状態の撮影を行い、設定された第２所定時間が経過したら前記画像送信手段により前記画像を前記サーバーに転送し、設定された第３所定時間が経過したら前記車両に搭載された警告発生手段により警告を発する
ことを特徴とする車両状態監視システム。
【請求項４】
請求項１又は２に記載の車両状態監視システムにおいて、
前記移動物体検知手段は、前記侵入者が設定された区域に侵入したとき、前記侵入者が発生する熱を赤外線により検知する赤外線センサーである
ことを特徴とする車両状態監視システム。
【請求項５】
請求項３に記載の車両状態監視システムにおいて、
前記セキュリティモードプログラムは、前記警告発生手段により前記警告が発生しているとき、前記遠隔制御手段により前記車載ユニットを制御して、発生している前記警告を停止させ、前記セキュリティモードを解除できる
ことを特徴とする車両状態監視システム。
【請求項６】
請求項１又は２に記載の車両状態監視システムにおいて、
前記セキュリティモードの設定は、
前記エンジンスターター・キーを前記差込口から抜いて、設定された第４所定時間の間に、前記移動物体検知手段によって前記移動物体が検知されないときの第1条件と、
前記遠隔制御手段から前記車載ユニットに指令して前記セキュリティモードに設定するように操作されたときの第２条件と
の内のいずれか１以上の条件によって前記セキュリティモードが設定され、
前記セキュリティモードの解除は、
前記遠隔制御手段から前記車載ユニットに指令して前記セキュリティモードの設定を解除するように操作されたときの第３条件と、
前記エンジンスターター・キーを前記差込口挿入させたときの第４条件と
の内の１以上の条件によって前記セキュリティモードが解除される
ことを特徴とする車両状態監視システム。
【請求項７】
請求項６に記載の車両状態監視システムにおいて、
前記遠隔制御手段は、商用回線に接続され予め指定された携帯通信端末である
ことを特徴とする車両状態監視システム。
【請求項８】
請求項６に記載の車両状態監視システムにおいて、
前記遠隔制御手段は、命令用の押ボタンスイッチを備えた携帯用のリモートコントローラである
ことを特徴とする車両状態監視システム。
【請求項９】
請求項７に記載の車両状態監視システムにおいて、
前記携帯通信端末から前記サーバに画像撮影の指示を送信し、
前記サーバは前記携帯通信端末からの前記画像撮影の指示を受信して、前記車載ユニットへ送信し、
前記車載ユニットが前記サーバから前記撮影の指示を前記通信端末機によって受信し、
前記画像撮影装置で撮影された画像を前記画像送信手段によって前記サーバに送信し、
前記サーバは前記画像を前記携帯通信端末へ送信するものである
ことを特徴とする車両状態監視システム。
【発明の詳細な説明】
【技術分野】
【０００１】
本発明は、車両状態監視システムに関するものであり、特に人感センサと画像撮影装置を含む車載ユニットが車両に搭載され、車両の不正侵入者を監視する車両状態監視システムに関する。
【背景技術】
【０００２】
車両の盗難、又は車両に不正侵入して金品を盗む被害が多発している。このとき、車両に何者かが不正侵入したときに、誰が侵入したかを判別することは一般には困難である。即ち、不正侵入か、正当な使用者の使用かを判別することは困難である。
また、車両の正当な使用者が車両から離れているとき、遠隔地から車内の様子を把握することは困難である。
【０００３】
盗難された車両を発見するために車両にＧＰＳ（Ｇｌｏｂａｌ  Ｐｏｓｉｔｉｏｎｉｎｇ  Ｓｙｓｔｅｍ）を内蔵したナビゲーションのデータを入手して車両の現在位置を確認するナビゲーションシステムが提案されている（特許文献１）。この提案されたナビゲーションシステムの場合、登録された盗難車を発見するものであり、車の正当な所有者、又は使用者が自己の車両の位置を確認するために車両の所在地を確認できる機能は備えていない。
【０００４】
また、ナビゲーションシステムで運行管理サーバーからの要求で自動的に位置情報の要求があったときに車両の位置を携帯電話機から送信して車両を管理するものが提案されている（特許文献２及び３）。同様に、これらのシステムは、管理センターと車両とのやり取りであり、車の正当な所有者が確認のために車の所在地を携帯電話等で自由に呼び出して確認する等の機能は備えていない。
【０００５】
一般消費者にとって家と車は、大切な財産と考えられる。ところがこれらの従来提案されている車の管理は、車をインテリジェント化して車自身が管理する、又は専門の管理者が管理するシステムとして構築されている形態になっているので、車のオーナーの所有者意識や操縦、バッテリー容量の低下等の車のメイテナンスの管理の楽しさといった車を趣味とする人達の喜びを奪ってしまっている。
【０００６】
また、内蔵バッテリーを備えた通信モジュールで車両が移動される等の異常を検出すると警告アラームを自動発信し、同時に車両の所有者の電話機へ発信するものが提案されている（特許文献４及び５）。しかしながら、これらの提案されたものは、音声による警告のみであり警察等に捜査を依頼するときに犯人を特定する証拠の収集は困難である。後者のものは、車の異常を感知したときに、所有者の携帯電話端末へ位置情報等を連絡するものが開示されている。
この盗難、事故、悪戯等による車両の事故に対するときも同様に、所有者自ら管理する一体化が失われている。
【特許文献１】特開平１１−２３０７６３号公報
【特許文献２】特開２００１−２６８６２０号公報
【特許文献３】特開２００２−２７９５９２号公報
【特許文献４】特開２００３−８７６４号公報
【特許文献５】特開２００２−３５２３４９号公報
【発明の開示】
【発明が解決しようとする課題】
【０００７】
本発明は上述のような技術背景のもとになされたものであり、下記の目的を達成する。
本発明の目的は、侵入者が車両に不正侵入したとき、侵入者の写真撮影を行い、車両の正当な利用者に知らせることができる車両状態監視システムを提供することにある。
本発明の他の目的は、車両が停止し、利用者が車両から離れているとき、車両内の様子を遠隔地から撮影し、利用者に送信することができる車両状態監視システムを提供することにある。
【０００８】
本発明の更に目的は、侵入者が車両に不正侵入したとき、侵入者の写真撮影を行い、かつ警報を発生して侵入者を威嚇することができる車両状態監視システムを提供することにある。
本発明の更に目的は、車両付近からリモートコントローラで、又は予め登録された携帯電話端末機から車両に搭載された車載ユニットを遠隔制御し、車両を監視することができる車両状態監視システムを提供することにある。
【課題を解決するための手段】
【０００９】
本発明は、前記目的を達成するため、次の手段を採る。
本発明の車両状態監視システムの発明は、情報を伝達する通信網に接続するための通信端末機、前記通信端末機の通信を制御するための通信手段、車両の現在位置を検知できる現在位置検知手段、及び、メモリに格納されているプログラムを実行し制御するための中央処理装置を備え前記車両に搭載された車載ユニットと、
前記通信網に接続され、登録された会員情報、前記車両を識別するための車両情報、及び地図情報が記憶されたサーバーと、
前記車載ユニットを無線通信によって遠隔操作するための遠隔制御手段と
からなる遠隔車両管理システムであって、
前記車載ユニットは、
前記車両の室内の状況を撮影するための画像撮影装置と、
前記車両内の移動物体を検知するための移動物体検知手段と、
前記画像撮影装置で撮影された画像を前記通信端末機を介して前記サーバに送信するための画像送信手段とを備え、
前記プログラムは、
前記車両のエンジンスターター・キーがエンジンスターターの差込口に挿入されているときの通常モードのための通常モードプログラムと、
前記エンジンスターター・キーが前記差込口に挿入されていないとき、前記移動物体検知手段を制御して、前記車両内の状態を常時監視して前記移動物体があるか否かを監視するセキュリティモードのためのセキュリティモードプログラムと
を含むことを特徴とする。
【００１０】
本発明２の車両状態監視システムは、本発明１において、
前記通常モードプログラムは、前記移動物体検知手段が前記車両内の様子を常時監視していて、設定された第１所定時間の間に、前記移動物体を検知できないときは前記セキュリティモードに遷移するように動作させることを特徴とする。
【００１１】
本発明３の車両状態監視システムは、本発明１又は２において、
前記セキュリティモードプログラムは、前記移動物体検知手段が前記移動物体を検知したとき、前記画像撮影装置で前記車両内の状態の撮影を行い、設定された第２所定時間が経過したら前記画像送信手段により前記画像を前記サーバーに転送し、設定された第３所定時間が経過したら前記車両に搭載された警告発生手段により警告を発することを特徴とする。
前記警告音は、合成された音声、非常用のサイレン音等である。
【００１２】
本発明４の車両状態監視システムは、本発明１又は２において、
前記移動物体検知手段は、前記侵入者が設定された区域に侵入したとき、前記侵入者が発生する熱を赤外線により検知する赤外線センサーであることを特徴とする。本発明の前記移動物体検知手段は、超音波により移動体を検知する超音波センサー、電波を発することにより移動物体を検知する電波レーダー等の手段であっても良い。又、車両内の画像を定時的に解析して、前画像と最新の画像とに変化があれば、移動物体が侵入したと判断するような画像解析による方法であっても良い。
【００１３】
本発明５の車両状態監視システムは、本発明３において、
前記セキュリティモードプログラムは、前記警告発生手段により前記警告が発生しているとき、前記遠隔制御手段により前記車載ユニットを制御して、発生している前記警告を停止させ、前記セキュリティモードを解除できることを特徴とする。
【００１４】
本発明６の車両状態監視システムは、本発明１又は２において、
前記セキュリティモードの設定は、
前記エンジンスターター・キーを前記差込口から抜いて、設定された第４所定時間の間に、前記移動物体検知手段によって前記移動物体が検知されないときの第1条件と、
前記遠隔制御手段から前記車載ユニットに指令して前記セキュリティモードに設定するように操作されたときの第２条件と
の内のいずれか１以上の条件によって前記セキュリティモードが設定され、
前記セキュリティモードの解除は、
前記遠隔制御手段から前記車載ユニットに指令して前記セキュリティモードの設定を解除するように操作されたときの第３条件と、
前記エンジンスターター・キーを前記差込口挿入させたときの第４条件と
の内の１以上の条件によって前記セキュリティモードが解除される
ことを特徴とする。
【００１５】
本発明７の車両状態監視システムは、本発明６において、前記遠隔制御手段は、商用回線に接続され予め指定された携帯通信端末であることを特徴とする。前記携帯通信端末は、主に音声り通信機器として使用され、インターネットによりホームページを閲覧できるブラウザを搭載した携帯電話器が好ましい。
【００１６】
本発明８の車両状態監視システムは、本発明６において、前記遠隔制御手段は、命令用の押ボタンスイッチを備えた携帯用のリモートコントローラであることを特徴とする。
【００１７】
本発明９の車両状態監視システムは、本発明７において、前記携帯通信端末から前記サーバに画像撮影の指示を送信し、前記サーバは前記携帯通信端末からの前記画像撮影の指示を受信して、前記車載ユニットへ送信し、前記車載ユニットが前記サーバから前記撮影の指示を前記通信端末機によって受信し、前記画像撮影装置で撮影された画像を前記画像送信手段によって前記サーバに送信し、前記サーバは前記画像を前記携帯通信端末へ送信するものであることを特徴とする。
【発明の効果】
【００１８】
本発明によると、次の効果が奏される。本発明の車両状態監視システムは、車両に不正侵入されたとき、車両の盗難されたとき、又は車両に異常が発生したときに、車両内の様子を画像撮影装置によって撮影し、撮影された画像を無線通信網によってサーバに送信し、車両の盗難、異常に迅速に対応できるようになる。
【発明を実施するための最良の形態】
【００１９】
次に、本発明の実施の形態を説明する。図１は、本発明の実施の形態を示す遠隔車両管理システム１の概念図、図２は、車載ユニット本体５の回路構成を示す機能ブロック図、図３は、サーバー３の構成を示す図である。図１に図示するように、遠隔車両管理システム１は、車載ユニット本体５を備えた車両２、サーバー３、携帯電話機４等から構成される。
【００２０】
車両２に搭載された車載ユニット本体５は、ＧＰＳシステムを利用し車両の現在位置を検知する機能と、ドアの開閉、エンジンの状態、バッテリーの電圧、駐車時の車両の移動等の車両情報を取得する機能と、及び通信網７へ接続して現在位置情報、車両情報をサーバー３に送信する機能等を備えている。
サーバー３は、登録された会員情報、車両情報、及び地図情報等のデータベースを備えている。サーバー３は、通信網７に接続されて、車両２に関する情報を取得し、その情報を会員の携帯電話機４へ送信して車両の状態を通知する。通信網７は、移動通信網などの公衆通信網、又はインターネット網である。
【００２１】
図２に図示したように、車載ユニット本体５は、ＣＰＵ（Ｃｅｎｔｒａｌ  Ｐｒｏｃｅｓｓｉｎｇ  Ｕｎｉｔ）１０、表示器１１、ＲＡＭ（Ｒａｎｄｏｍ  Ａｃｃｅｓｓ  Ｍｅｍｏｒｙ）１２，ＲＯＭ（Ｒｅａｄ  Ｏｎｌｙ  Ｍｅｍｏｒｙ）１３，加速度検出回路１４、携帯通信端末インターフェース１５、ＧＰＳインターフェース回路１６，アナログデジタル（Ａ／Ｄ）変換回路１７、カメラインターフェース１８等から構成されている。
ＣＰＵ１０は、車載ユニット本体５の全体を制御する中央処理装置である。ＲＡＭ１２、ＲＯＭ１３はそれぞれメモリである。表示器１１は車載ユニット本体５の状態、送受信の進行状態などを表示するためのものである。表示器１１は、液晶ディスプレイ又は表示ランプから構成されても良い。車載ユニット本体５は、車両２のＥＣＵ（Engine Control Unit）１９と車両制御回路２１等と通信して車両２に関する各種情報を取得できる。
【００２２】
ＥＣＵ１９は、エンジンの始動、停止、回転の制御を行い、エンジンを最適に運転制御するものである。ＥＣＵ１９は、イモビライザ２０の指令によって、エンジンの始動、停止を行う。イモビライザ２０は、車両２のエンジンキーをキーシリンダーに挿入した際，両者の電子的な照合を行って、両者が合致しないとエンジンを始動させないためのものである。このイモビライザ２０の構造、機能は、公知でありかつ発明の要旨でもないのでその説明は省略する。
【００２３】
車両制御回路２１は、車両２のドアの開閉、ランプ等の制御を行うためのものである。車両制御回路２１は、ドアセンサー２２によってドアの開閉状態の検知、ドアロック／アンロックを制御するためのものである。加速度検出回路１４は、車両２に設けられた２軸線方向の移動を検知するためのものであり加速度計２３から信号を受け取って車両２の加速度を検出して、この加速度から車両の前部、又は後部のリフト、又は車両２全体の持ち上げを演算してその移動量を判断するためのものである。本例の加速度計２３は上下方向、車両の長手方向の２軸線方向の加速度を検知するタイプのものである。
【００２４】
携帯通信端末インターフェース１５は、携帯通信端末機２４を制御するためのものである。携帯通信端末機２４は、通信網７と通信を行い、サーバー３へデータ送信又はサーバー３からのデータを受信する。カメラインターフェース１８は、車両２に設置したカメラ２５の画像を取得するために設けられたインターフェースである。ＧＰＳインターフェース回路１６は、ＧＰＳ２６がＧＰＳ衛星６から受信した現在位置信号を取得するためのものである。
【００２５】
アナログデジタル変換回路１７は、バッテリー２７の電圧を計測し、その残容量を把握するために設けられたものである。ただし、アナログデジタル変換回路１７を設けずに、車両制御回路２１からの信号を取り出して利用できる場合は、これを利用したものでも良い。また、アナログデジタル変換回路１７は、侵入者による切断、故障等の何らかの原因でバッテリー２７の配線が断線したときにそれを検知する機能も備えている。
【００２６】
このバッテリー２７の断線は、携帯通信端末機２４を通して、サーバー３に送信され、サーバー３はその情報を会員の携帯電話機４に送る。車載ユニット本体５は駆動するためのバッテリー（図示せず）も有しており、このバッテリーは車両のバッテリー２７と接続され、常時充電されている。従って、バッテリー２７が断線、又は意図的に取り外されたとしても、車載ユニット本体５は一定時間は作動できる（本例では設計上は最低５時間以上）。
【００２７】
図３に図示するようにサーバー３は、入出力機器３４、通信網７と通信するための通信用インターフェース３５を備え、記憶装置３６にはデータベース４０を有する。また、サーバー３は、表示器３３、ＣＰＵ３０、ＲＡＭ３１、ＲＯＭ３２を備えている。データベース４０は車主情報管理テーブル４１、車情報管理テーブル４２、会員管理テーブル４３、追跡情報テーブル４４、メール情報テーブル４５、メッセージテーブル４６、データベース情報テーブル４７等から構成される。
【００２８】
車主情報管理テーブル４１は、車両２の車主氏名、車主の生年月日、車主の性別、車主の運転免許番号、車両２の識別番号（以下、ＩＤという。）、電話番号、会員番号、住所、勤務先などの車主に関するデータから構成されているデーブルである。
【００２９】
車情報管理テーブル４２は、図４に図示するように、車両２の車ＩＤ５０、ナンバープレート５１、車両２のメーカー５２、製造モデル５３、製造年代５４、車色５５、排気量５６、製造番号５７、エンジン番号５８、車体番号５９、ドア個数６０、有効車検期限６１、走行距離６２、事故有無６３等のそれぞれ車両２に関するデータからなるテーブルである。また、データの追加、削除、更新、検索をおこなうための追加６４、削除６５、更新６６、検索６７等の機能をそれぞれ備えている。
【００３０】
会員管理テーブル４３は、会員番号、会員氏名、車両２のＩＤ、入会年月日、会費支払期限などの会員に関するデータからなるテーブルである。追跡情報テーブル４４は、車両２のＩＤ、追跡時の経度、緯度、住所などの車両２を追跡したときのデータからなるテーブルである。メール情報テーブル４５は、メールＩＤ、メール送信先、件名、氏名、内容、添付ファイル、生成時間、送信時間、端末のＩＰ番号、車両２のＩＤ、住所情報などからなるテーブルである。
メッセージテーブル４６は、メールを送信するときに送信先へのメッセージの内容からなるテーブルである。データベース情報テーブル４７は、データベース４０の更新、変更、削除などを管理するための情報からなるテーブルである。また、データベース４０へのアクセスした履歴のデータも有する。
【００３１】
また、記憶装置３６は、マップデータベース７０を有する。マップデータベース７０は、地図のデータであるマップデータからなる。マップデータベース７０からは、現在位置データの経度及び緯度で示される座標、住所などで必要な地図を検索して得ることが出来る。
サーバー３は、遠隔車両管理システム１を実現するための遠隔車両管理プログラム７１を格納している。遠隔車両管理プログラム７１は、無線公衆通信網とデータの送受信を行う無線通信機能と、インターネットと通信する機能を有する。また、通信網７と通信してデータの送受信を行う通信機能、メールの送受信を行うメール機能、データベース４０へアクセスするデータベースアクセス機能などを有する。
【００３２】
［遠隔車両管理システム１の動作］
次に、遠隔車両管理システム１の動作の概要を説明する。サーバー３は、インターネット網を利用してユーザへメールを送信、又はユーザからのメールを受信する。サーバー３は、無線公衆通信網を利用して車両２の状態を示すデータの受信、又は車両２への制御指令、若しくはデータ要求を送信する。また、車両２の車載ユニット本体５は、携帯通信端末機２４で無線公衆通信網に接続してサーバー３へのメール送受信を行っても良い。
【００３３】
このとき、サーバー３は無線公衆通信網と専用線で接続されて直接、又は無線公衆通信網からインターネット経由でメールを送受信する。これらの通信機能は、サーバー３の遠隔車両管理プログラム７１によって行われる。サーバー３は、プロキシー（Ｐｒｏｘｙ）サーバー機能を有し、インターネット通信を行うとき全ての通信をプロキシーサーバーを経由して行っても良い。
サーバー３のメール機能を利用して、車両２の現状をユーザに報告したり、又は、ユーザから車両２への指示を受信したりするためのユーザとのメールの送受信を行う。このとき、インターネットのＴＣＰ／ＩＰプロトコルを利用しても良い。サーバー３は、無線通信機能を利用して車両２とのデータの送受信を行う。このとき、車両２に関する情報を受信したり、車両２への制御指令を送信したりする。
遠隔車両管理プログラム７１は、車両２からの情報を受信して、情報を解析してデータベース４０に格納されている制御方法に従って、車主にメールをするか、又は車両２への制御指令・データ要求を行う。
【００３４】
［車両２の現在位置確認方法］
次に、ユーザが車両２の現在位置を確認する手順を図５のフローチャートを参照しながら説明する。ユーザは、所持している携帯電話機４のメール機能を利用して、車両２の位置確認を要求する要求メールを作成する（Ｓ１）。ユーザは、携帯電話機４をフックオンし（Ｓ２）、携帯通信網に接続してユーザ認証を行う（Ｓ３）。
そして、サーバー３へ車両２の現在位置を確認する要求メールの送信を開始する（Ｓ４）。要求メールの送信が終わると（Ｓ５）、携帯通信網と接続を切断して（Ｓ６）、携帯電話機４をフックオフ（Ｓ７）し、サーバー３からの返事メールが到着するまで待機する（Ｓ８）。サーバー３から返事メールが到着すると受信して（Ｓ９）、返事メールを開き（Ｓ１０）、車両２の位置を確認する（Ｓ１１）。車両２の位置確認が終わったら返事メールを閉じて（Ｓ１２）、携帯電話機４をフックオフする（Ｓ１３）。
よって、このようにユーザが車両２の現在位置を確認する一連の動作が終了する。盗難されたとき等のように、連続的に車両２の位置を確認したいときは、その要求メールをサーバー３に送信するとサーバー３は、所定時間毎に位置確認を行いこれを携帯電話機４に送信することができる。
【００３５】
図６は、ユーザから車両２の位置確認を要求する位置確認メールをサーバー３で処理する手順を示すフローチャートである。遠隔車両管理プログラム７１は、車両２の位置確認を要求する要求メールを受信する（Ｓ２０）。遠隔車両管理プログラム７１は、車載ユニット本体５へ送信する車両要求メールを作成する（Ｓ２１）。そして、車載ユニット本体５へ車両要求メールを送信する（Ｓ２２）。車両要求メールの送信が終了すると、車載ユニット本体５からの返事のメールが到着するまで待機する（Ｓ２３）。
車載ユニット本体５から車両２の位置データを有する返事メールが到着すると受信する（Ｓ２４）。返事メールのデータから車両２の位置に関する位置データを抽出して（Ｓ２５）、ユーザへの返事メールを作成する（Ｓ２６）。返事メールの作成が終了すると、ユーザへ送信する（Ｓ２７）。よって、ユーザから車両２の位置確認を要求する位置確認を要求する要求メールをサーバー３で処理する一連の手順が終了する。
ただし、本実施の形態では、衛星の電波をキャッチできない地下室、トンネルに車両が入ったときはその検知できた最後の地点である入口等をサーバー３が記憶して、その最後の地点を携帯電話機４に報告する機能がある。
【００３６】
［車両位置確認の車載ユニットの処理］
図７は、車載ユニット本体５がサーバー３の要求を受けて指示に従って処理する手順を示すフローチャートである。車載ユニット本体５は、無線公衆通信網の基地局８と通信してサーバー３、及びユーザからの要求又は指令を受信し、その返事を送信する。そのため、車載ユニット本体５と接続されている携帯通信端末機２４は随時基地局８からの信号を監視している。基地局８は、車載ユニット本体５へメールを受信したときに、信号を携帯通信端末機２４へ送信する。
【００３７】
車載ユニット本体５側では、基地局８からの接続要求を受信するまで待機している（Ｓ３０）。接続要求があると、携帯通信端末機２４はフックオンし（Ｓ３１）、基地局８と接続し接続認証を行う（Ｓ３２、Ｓ３３）。そして、要求メールを受信し（Ｓ３４）、要求メールの内容を解析する（Ｓ３５）。車両２の位置データを要求しているときは、ＧＰＳインターフェース回路１６へ接続して（Ｓ３６）、ＧＰＳ２６へ接続する（Ｓ３７）。
ＧＰＳ２６から位置情報を取得して（Ｓ３８）、返信メールの作成を行う（Ｓ３９）。返信メールの作成が終了すると、返信メールをサーバー３へ送信する（Ｓ４０）。返信メールの送信が終了すると（Ｓ４１）、基地局８との接続を切断し（Ｓ４２）、携帯通信端末機２４はフックオフする（Ｓ４３）。そして、次の要求が来るまで待機する（Ｓ４３→Ｓ３０）。よって、車載ユニット本体５での一連の処理が終了する。
【００３８】
［車両位置確認の報告メール］
図８には、ユーザに車両２の位置情報を報告するメールの例である報告メール８０を図示している。報告メール８０には、氏名８１、ナンバープレート５１、送信日時８２、確認日時８３、緯度８４、経度８５が表示されている。氏名８１は、ユーザの氏名で、ナンバープレート５１は車両２のナンバープレートである。送信日時８２は報告メール８０を送信した時刻であり、年月日と時分で表示されている。確認日時８３は、車両２を確認したときの日時であり、月日時分で表示されている。緯度８４、経度８５は、車両２を確認したときの座標の緯度と経度である。
前述した位置確認は、位置情報を緯度と経度で表示するものであったが、サーバー３の地図情報と重ねてメールするものであっても良い。
【００３９】
［ドアロック／アンロックの確認］
ユーザは、車両２のドアのドアロック／アンロックを確認するとき、前述の位置確認と同様の手順で確認要求メールをサーバー３へ送信し、サーバー３からその要求の結果を受け取る（図５を参照）。サーバー３では、ユーザから要求メールを受信して処理し、その要求を車載ユニット本体５へ送信する（図６を参照）。車載ユニット本体５では、サーバー３からの要求メールを受信してドアのドアロック／アンロックを確認する。この確認の結果をサーバー３へ送信し、サーバー３はユーザへメール報告する。
このときの車載ユニット本体５でドアロック／アンロックを確認するフローチャートを図９に図示している。車載ユニット本体５は、無線公衆通信網の基地局８と通信してサーバー３、及びユーザからの要求又は指令を受信し、その返事を送信する。そのため、車載ユニット本体５と接続されている携帯通信端末機２４は随時基地局８からの信号を監視している。
【００４０】
車載ユニット本体５では、基地局８からの接続要求を受信するまで待機している（Ｓ１３０）。接続要求があると、携帯通信端末機２４はフックオンし（Ｓ１３１）、基地局８と接続し接続認証を行う（Ｓ１３２、Ｓ１３３）。そして、要求メールを受信し（Ｓ１３４）、要求メールの内容を解析する（Ｓ１３５）。車両２のドアのドアロック／アンロックデータを要求しているときは、車両制御回路２１へ接続して（Ｓ１３６）、ドアセンサー２２へ接続する（Ｓ１３７）。
ドアセンサー２２からドアロック／アンロック情報を取得する（Ｓ１３８）。次、サーバー３からの要求メールには、ドアロックを変更する指示あるかを確認する（Ｓ１３９）。ドアロックを変更する指示がない場合は、返信メールの作成を行う（Ｓ１３９→Ｓ１４１）。ドアロックを変更する指示がある場合は、ドアロックを変更して（Ｓ１４０）、返信メールの作成を行う（Ｓ１４１）。
【００４１】
返信メールの作成が終了すると、返信メールをサーバー３へ送信する（Ｓ１４２）。返信メールの送信が終了すると（Ｓ１４３）、基地局８との接続を切断し（Ｓ１４４）、携帯通信端末機２４はフックオフする（Ｓ１４５）。そして、次の要求が来るまで待機する（Ｓ１４５→Ｓ１３０）。よって、車載ユニット本体５での一連の処理が終了する。以上詳記したように、ユーザが車両２のドアのドアロック／アンロックを確認するだけの要求、又は確認してドアが開いていればロックする等の指示をすることができる。
【００４２】
［バッテリ−充電も含めて車両の状態の確認］
図１０は、バッテリーの電圧等の車両２に関する情報の取得とエンジンを起動、停止のための制御動作の例である。なお、この車両の状態の確認は、前述したドアのロック／アンロックの確認等と同時に行っても良い。
ユーザは、車両２の車両状態の確認をするとき、前述の位置確認と同様の手順で確認要求メールをサーバー３へ送信し、サーバー３からその要求の結果を受け取る。サーバー３では、ユーザから要求メールを受信して処理し、その要求を車載ユニット本体５へ送信する。車載ユニット本体５では、サーバー３からの要求メールを受信して各種の車両情報を確認する。この確認の結果をサーバー３へ送信し、サーバー３はユーザへメール報告する（Ｓ２０１→Ｓ２０７）。
ユーザは、報告したメールの内容を見て判断する（Ｓ２０８）。ユーザはバッテリー電圧が低いと判断すると、充電する必要があるのでエンジンの起動指令をメールする（Ｓ２０８→Ｓ２０９）。サーバー３は、車両２が移動中でない等の確認をして車載ユニット本体５にエンジン起動指令をする（Ｓ２１０→Ｓ２１３）。車載ユニット本体５は、このエンジン起動指令を受け取ると、エンジンが稼働中でなければＥＣＵ１９にエンジン起動指令を発する（Ｓ２１７）。このとき、ＥＣＵ１９は、変速装置が駐車位置にある等の確認をしてスターターに電流を流してエンジン起動指令をする。
【００４３】
エンジンが無事起動すれば、車載ユニット本体５はこのエンジンが起動した旨の信号をサーバー３に送信する（Ｓ２１９→Ｓ２２０）。エンジンの運転は、所定時間（本例では１０分）のみ稼働させる（Ｓ２２１）。所定時間に充電が完了しなければ運転を続行する。これらの時間の制御は、車載ユニット本体５が行うが、サーバー３で指令しても良い。また、バッテリー電圧により運転の停止、続行を判断しているが、時間で運転を停止させたものであっても良い。
【００４４】
これらの充電運転が終了すると、車載ユニット本体５はサーバー３に送信して正常に充電が完了し、エンジンを停止させた旨の信号を送り、サーバー３は携帯電話機４にこの旨の情報を送信して充電運転は終了する（Ｓ２２３→Ｓ２２６）。なお、この説明では充電運転として説明したが、長期間車を使用しないときのメンテナンスのための運転であっても同様である。
【００４５】
［エンジン停止、ドアロックのときの移動の検知と写真撮影］
図１１は、車両を駐車しているときに、車両の移動を検知して警告、又は写真撮影を行うときの車載ユニットの動作例である。車載ユニット本体５は、予め設定された移動量を車両が検知すると、例えば「車にさわらないで下さい」等の音声を車載ユニット本体５のスピーカーから発し警告する。本実施の形態では、車両の前部、後部、又は全体が所定量リフトされたとき、又は駐車中でエンジン停止でかつドアがロック状態のときにドアが指令以外で開けられたときに異常と判断し携帯電話機４にサーバー３を通して送信する（Ｓ１０１→Ｓ１０５））。
【００４６】
ドアが開けられたときには、車内に何者かが侵入したと判断して、カメラ２５で写真撮影する。カメラ２５は、遠赤外線カメラであっても良い。この画像及び音声（車載ユニット本体５の音声マイク、スピーカーは図示せず。）のデータは、サーバー３に送信され後日犯罪に関係するものであれば証拠とする（Ｓ１０６→Ｓ１１０）。
【００４７】
［追跡方法の例］
前述した遠隔車両管理システム１は、次のような使用方法もできる。例えば、キーを付けてエンジンを稼働中に盗まれたとき、車両の現在位置を追跡すると共に、この車両は盗品である旨の音声を車載ユニット本体５のスピーカーから発する。エンジンが一端停止したとき、再起動できない指令信号を発することができるのでこの指令を携帯電話機４から発すると、エンジンは再起動しないので運転の続行はできない。従って、盗難車両の位置確認ができると共に犯人への牽制もできる。
【００４８】
［本発明の第２の実施の形態］
図１２は、本発明の遠隔車両管理システムの第２の実施の形態であり、その概要を図示した機能ブロック図である。車両には、車載ユニット本体１１０、人感センサ１０１、スピーカー１０３、カメラ２５、ＧＰＳ２６、リモコンアンテナ１０５、送信アンテナ１０７、受信アンテナ１０９等が設置されている。車載ユニット本体１１０は、車両に搭載されており、車両の異常を監視し、位置情報を取得し、サーバーとの通信を行う機能を備えた装置である。スピーカー１０３は、侵入者等に警報サイレン、威嚇音、警告等を発生するための音声装置である。送信アンテナ１０７と受信アンテナ１０９は、移動体通信網に接続して通信を行うためのアンテナである。
【００４９】
送信アンテナ１０７と受信アンテナ１０９は、車載ユニット１１０とサーバー間でデータの送受信を行うためものである。送用アンテナ１０７と受信アンテナ１０９は、高感度の通信機能を得るために、送信機能、受信機能を別々のアンテナで行っているが、１本のアンテナであっても良い。ＧＰＳ２６は、ＧＰＳ衛星から送信される位置情報を受信するための電子回路である。カメラ２５は、車内の様子を撮影するための画像撮影装置である。
【００５０】
人感センサ１０１は、車内の様子を監視し、車内に移動体物が発見されると車載ユニット本体１１０にその旨を通知するための装置である。従って、人感センサー１０１は、人間の移動を感知するだけでなく、車両のドア、動物の移動も検知できる。従って、人感センサ１０１の検知手段は、赤外線、超音波、マイクロ波による感知器であっても良い。赤外線による人感センサ１０１の場合は、人や動物が発する赤外線熱を受信し、この熱量の変化によって感知するものである。超音波による人感センサ１０１の場合は、出力する音波（およそ４０ｋＨＺ）と、反射してくる音波を比較して感知する。ドップラー効果により、物体が遠ざかったり、近づいたりすると反射してくる音波の周波数に差異が生じることは良く知られている。
【００５１】
リモコンアンテナ１０５は、車載ユニット１１０を無線で制御するためのリモートコントローラ（図１８参照、以下、リモコンという。）からの電波を受信するためのアンテナである。車載ユニット本体１１０は、車両のバッテリー２７から電源が供給されて動作する。車載ユニット本体１１０は、ＣＰＵ１０、ＲＡＭ１２、ＲＯＭ１３、人感センサインターフェース１００、スピーカーインターフェース１０２、カメラインターフェース１８、ＧＰＳインターフェース１６、Ａ／Ｄ変換回路１７、リモコンアンテナインターフェース１０４、送信アンテナインターフェース１０６、受信アンテナインターフェース１０８等から構成される。
【００５２】
車載ユニット本体１１０のメモリには、車載ユニット本体１１０を制御し動作させるためのプログラムが格納されている（図示せず）。CPU１０は、RAM１２、ROM１３のメモリに格納されているプログラムを実行し、車載ユニット本体１１０を制御する中央処理装置である。車載ユニットは、基本的には２つのモードで動作する。一つの動作はセキュリティモードであり、他方の動作は通常モードである。図１３は、セキュリティモードのときの車載ユニットの動作のフローの概要を示している。
【００５３】
セキュリティモードは、例えば、車載ユニットのリモコン１１５の「ｓｅｔ」ボタン１１６を押してセキュリティモードに入る（図１８を参照）。このセキュリティモードのとき、例えば窓を割って侵入した侵入者を人感センサ１０１で感知したとき、カメラ２５によって写真撮影をする。そして、カメラ２５で撮影した写真をサーバへ転送し始める。そして、スピーカー１０３から警報を発生する。この写真の転送は、スピーカー１０３から警報を発生しているとき、又は発生した後で開始しても良い。なお、仮に車両の正当な使用者の侵入を、何らかの誤動作でスピーカー１０３から警報が発せられたとき、写真撮影を除いて、リモコン１１５、又はパスワード等で識別された使用者の携帯電話からこれらの動作を解除することができる。
【００５４】
図１４は、通常モードのフローチャートを図示している。人感センサ１０１は、ドアーの開閉、車内にいる正当な車両の使用者の移動、侵入者の移動、車内の物体の移動等を感知している。車が止まっていても、車両の正当な利用者が車から出ないで車内に留まっているときは、人感センサ１０１は連続して感知しているため、セキュリティモードに遷移することはない。設定された所定時間の間、車内で移動する移動物体（ドアーを含む。）を感知しないとき、自動的にセキュリティモードに入る。例えば、設定される所定時間は２分間であっても良い。このように、車の正当な利用者が、車の運転を終了して車から降りて、リモコン、携帯電話等で通常モードからセキュリティモードに遷移する指令をすることなく、車載ユニットは、自動的にセキュリティモードに遷移することができる。
【００５５】
図１８は、リモコン１１５の外観の概要を図示している。リモコン１１５には、「ｓｅｔ」ボタン１１６、「ｃｌｅａｒ」ボタン１１７、「ｍｕｔｅ」ボタン１１８等のボタンが用意されている。「ｓｅｔ」ボタン１１６は、車載ユニットをセキュリティモードにするためのボタンである。「ｃｌｅａｒ」ボタン１１７は、車載ユニットのセキュリティモードを解除し、通常モードにするためのボタンである。「ｍｕｔｅ」ボタン１１８は、警報用のスピーカー１０３から発する音を止めて通常モードにするためのボタンである。
【００５６】
図１５は、セキュリティモードのとき、カメラ２５で撮影しその画像テータをサーバーに転送するまでの全体の流れを示すフローチャートである。人感センサ１０１でドアが開くのを、又は人の侵入を感知し、カメラ２５によって写真撮影を行う。このカメラ２５による写真撮影は、車の正当な使用者、侵入者、ドアの開閉等の移動物体を検知したときに、車内を撮影する。車の利用者が所定時間内、例えば２０秒以内にエンジンスターター・キーをその差込口に差し込まないとスピーカー１０３から警報を発生し始める。
【００５７】
そして、更に所定時間内、例えば１０秒間以内、にエンジンスターター・キーキーをその差込口に差し込まないとカメラ２５で撮影された画像をサーバへ転送し始める。なお、エンジンスターター・キーをその差込口に差し込むか否かで、正当な使用者か否かを判断しているが、エンジンスターター・キーにより実際にエンジンを始動させたか否かで判断する方法でも良い。従って、本実施の形態では、エンジンスターター・キーをその差込口に差し込むとは、文字通りの意味と、及び／又は実際にエンジンをスタートすることも含む意味で使用する。
【００５８】
このように、画像の転送が開始されると（Ｓ３２８）、リモコン１１５によるセキュリティモードの解除ができなくなる。この場合、予め登録された携帯電話（図示せず）からセキュリティ解除の指示をしてセキュリティモードの解除を行う。即ち、本実施の形態では、リモコン１１５の指令よりも携帯電話から公衆回線を通した指令を最優先としている。図１６は、予め登録された携帯電話に送信される、車内画像を添付したメールの一例を図示している。このメール例では、車内に進入した侵入者の写真が添付されている。
【００５９】
車両状態監視システムを利用したサービスを提供して業者は、インターネット上にホームページを開設している。このホームページには、車両の正当な利用者がアクセスし、車両に関する情報を入手できる連絡先が掲載されている。たとえば、メール関連のサービスを提供するページがあり、このページにアクセスし、各種の指示、命令をメールで送信することができる。車両の正当な利用者は、自ら所持している携帯端末から、このホームページにアクセスし、このメールをする。
【００６０】
図１７は、車両の正当な利用者が車内撮影を指示する携帯画面１１１の一例を図示している。車両の正当な利用者は、車内の様子を把握するために携帯画面で指示し、カメラ２５で撮影された画像を受け取ることができる。このとき、画像撮影を指示する携帯画面の例である。利用者は、上述のホームページにアクセスし、メールフォーマットで画像撮影を指示する携帯画面を作成し、サーバーに送信する。写真撮影を指示する場合は、例えば、図１７に示した「１．写真撮影」等のように指示や命令の一覧が表示され、その中から選択して送信すると良い。
【図面の簡単な説明】
【００６１】
【図１】図１は、本発明の実施の形態を示す遠隔車両管理システムの概念図である。
【図２】図２は、車載ユニットの機器構成を示す機能ブロック図である。
【図３】図３は、サーバーの構成を示す図である。
【図４】図４は、車情報管理テーブルのデータ、プログラムの構成を示すブロック図である。
【図５】図５は、ユーザが車両の現在位置を確認する動作手順を示すフローチャートである。
【図６】図６は、車両の現在位置を確認するときのサーバーの動作手順を示すフローチャートである。
【図７】図７は、車両の現在位置を確認するときの車載ユニットの動作手順を示すフローチャートである。
【図８】図８は、車両の現在位置をユーザに報告するメールの例を示す画面例である。
【図９】図９は、車両ドアのロック／アンロックを確認する車載ユニットの動作手順を示すフローチャートである。
【図１０】図１０は、充電するためにエンジンを制御するときの遠隔車両管理システムの動作手順を示すフローチャートである。
【図１１】図１１は、車両の異常を検知したときの車載ユニットの動作手順を示すフローチャートである。
【図１２】図１２は、本発明の遠隔車両管理システムの第２の実施の形態であり、その概要を図示した機能ブロック図である。
【図１３】図１３は、車載ユニットがセキュリティモードで動作するときの概要を示したフローチャートである。
【図１４】図１４は、車載ユニットが通常モードで動作するときの概要を示したフローチャートである。
【図１５】図１５は、カメラで撮影するときにの全体の流れを示すフローチャートである
【図１６】図１６は、車両の持ち主に送信される、車内画像を添付した携帯画面の一例を図示している図である。
【図１７】図１７は、車両の持ち主が車内撮影を指示する携帯画面の一例を図示している。
【図１８】図１８には、リモートコントローラの外観の概要を図示した図である。
【符号の説明】
【００６２】
１…遠隔車両管理システム
２…車両
３…サーバー
４…携帯電話機
５…車載ユニット
６…ＧＰＳ衛星
７…通信網
８…基地局
１４…加速度検出回路
１５…携帯通信端末インターフェース
１６…ＧＰＳインターフェース回路
１７…アナログデジタル変換回路
１８…カメラインターフェース
１９…ＥＣＵ
２０…イモビライザ
２１…車両制御回路
２２…ドアセンサー
２３…加速度計
２４…携帯通信端末機
２５…カメラ
２６…ＧＰＳ
２７…バッテリー
３５…通信用インターフェース
３６…記憶装置
４０…データベース
７０…マップデータベース
７１…遠隔車両管理プログラム
８０…報告メール
１０１…人感センサ
１０３…スピーカー
１０５…リモコンアンテナ
１０７…送信アンテナ
１０９…受信アンテナ
１１０…車載ユニット本体
１１５…リモコン
【図１】
2004331051.tif 000003
【図２】
2004331051.tif 000004
【図３】
2004331051.tif 000005
【図４】
2004331051.tif 000006
【図５】
2004331051.tif 000007
【図６】
2004331051.tif 000008
【図７】
2004331051.tif 000009
【図８】
2004331051.tif 000010
【図９】
2004331051.tif 000011
【図１０】
2004331051.tif 000012
【図１１】
2004331051.tif 000013
【図１２】
2004331051.tif 000014
【図１３】
2004331051.tif 000015
【図１４】
2004331051.tif 000016
【図１５】
2004331051.tif 000017
【図１６】
2004331051.tif 000018
【図１７】
2004331051.tif 000019
【図１８】
2004331051.tif 000020